(57)【要約】【課題】構造が簡単な、型枠装置及び型枠装置用間隔保持具の提供。【解決手段】保持側位置ずれ防止部２０５が内側空間部１０６から型枠側位置ずれ防止部１０４に収容され、保持側位置ずれ防止部２０８が内側空間部１０６から型枠側位置ずれ防止部１０５に収容され、保持体２０２の周縁部２０９が側壁１０２を内側空間部１０６の側から受け止め、保持体２０４の周縁部２１０が側壁１０３を内側空間部１０６の側から受け止めることによって、間隔保持具２０１が側壁１０２及び１０３を内側空間部１０６の側から外側に突っ張り、間隔保持具２０１は一対の側壁１０２及び１０３が型枠１０１の外側の周囲に打設されるコンクリートからの外力２で内側空間部１０６の側に撓まないように一対の側壁１０２及び１０３の対向する間隔１０７を保持する。連結体とナットとによるダブルナットが構成され、間隔保持具ががたついたり落下したりすることのないようになる。【選択図】図１
0003210740.tif 000002
【実用新案登録請求の範囲】
【請求項１】
型枠の対峙する一対の側壁間に２本の保持体とこれら２本の保持体を連結する連結体とからなる間隔保持具を用いて、前記一対の側壁が型枠の外側に打設されるコンクリートからの外力で内側に撓まないように前記一対の側壁の対向する間隔を保持する型枠装置であって、前記型枠の対峙する一対の側壁には型枠側位置ずれ防止部が前記型枠の内側空間部の側で対向して設けられ、前記２本の保持体のうちの一方の保持体の一端部には保持側位置ずれ防止部が設けられ、前記一方の保持体の他端部には前記連結体が固定して設けられ、この一方の保持体の他端部に固定して設けられた連結体には前記２本の保持体のうちの他方の保持体の一端部が雌ネジ部と雄ネジ部とからなるネジで螺合して前記連結体に出たり入ったり可能に装着され、前記他方の保持体の他端部には保持側位置ずれ防止部が設けられ、前記一方の保持体の保持側位置ずれ防止部が前記型枠の内側空間部から前記一方の側壁に設けられた型枠側位置ずれ防止部に収容され、この一方の保持体の保持側位置ずれ防止部より外側の周縁部又は前記一方の保持体に設けられた保持側位置ずれ防止部の周縁部が一方の側壁を内側空間部の側から受け止める一方、前記他方の保持体の保持側位置ずれ防止部が前記型枠の内側空間部から前記他方の側壁に設けられた型枠側位置ずれ防止部に収容され、この他方の保持体の保持側位置ずれ防止部より外側の周縁部又は前記他方の保持体に設けられた保持側位置ずれ防止部の周縁部が前記他方の側壁を内側空間部の側から受け止めることを特徴とする型枠装置。
【請求項２】
型枠の対峙する一対の側壁間に型枠の外側に打設されるコンクリートからの外力で内側に撓まないように前記一対の側壁の対向する間隔を保持する型枠装置用間隔保持具であって、前記対峙する一対の側壁間に収容可能な２本の保持体とこれら２本の保持体を連結する連結体とからなり、前記２本の保持体のうちの一方の保持体の一端部には前記一対の側壁のうちの一方の側壁に設けられた型枠側位置ずれ防止部に前記型枠の内側空間部の側から収容するための保持側位置ずれ防止部が設けられ、前記一方の保持体の他端部には前記連結体が固定して設けられ、この一方の保持体の他端部に固定して設けられた連結体には前記２本の保持体のうちの他方の保持体の一端部が雌ネジ部と雄ネジ部とからなるネジで螺合して前記連結体に出たり入ったり可能に装着され、前記他方の保持体の他端部には前記一対の側壁のうちの他方の側壁に設けられた型枠側位置ずれ防止部に前記型枠の内側空間部の側から収容するための保持側位置ずれ防止部が設けられ、前記一方の保持体の保持側位置ずれ防止部が前記型枠の内側空間部から前記一方の側壁に設けられた型枠側位置ずれ防止部に収容された状態において前記一方の保持体の保持側位置ずれ防止部より外側の周縁部又は前記一方の保持体に設けられた保持側位置ずれ防止部の周縁部が一方の側壁を内側空間部の側から受け止めるように構成され、前記他方の保持体の保持側位置ずれ防止部が前記型枠の内側空間部から前記他方の側壁に設けられた型枠側位置ずれ防止部に収容された状態において前記他方の保持体の保持側位置ずれ防止部より外側の周縁部又は前記他方の保持体に設けられた保持側位置ずれ防止部の周縁部が前記他方の側壁を内側空間部の側から受け止めるように構成されたことを特徴とする型枠装置用間隔保持具。
【請求項３】
前記他方の保持体が寸切りボルトによって構成されたことを特徴とする請求項１記載の型枠装置又は請求項２記載の型枠装置用間隔保持具。
【請求項４】
前記２本の保持体が寸切りボルトによって構成され、前記連結体が長ナットによって構成され、前記２本の保持体のうちの一方の保持体の他端部が前記連結体に雌ネジ部と雄ネジ部とからなるネジで螺合するとともに接合材で接合されたことを特徴とする請求項１記載の型枠装置又は請求項２記載の型枠装置用間隔保持具。
【請求項５】
前記他方の保持体にはナットが前記連結体と前記他方の保持体の他端部における保持側位置ずれ防止部との間に位置して装着されたことを特徴とする請求項１記載の型枠装置又は請求項２記載の型枠装置用間隔保持具。
【考案の詳細な説明】
【技術分野】
【０００１】
本考案は、コンクリート構造物を構築する場合に配線等の線部材を通すための開口部を形成するために用いられる型枠装置、当該型枠装置の対峙する一対の側壁が打設されるコンクリートからの外力で内側に撓まないように前記一対の側壁の対向する間隔を保持するように用いられる型枠装置用間隔保持具に関する。
【背景技術】
【０００２】
図８を用いて、特許文献１で開示された型枠装置８について説明すると、型枠８０１の対峙する一対の側壁８０２及び８０３の間に、２本の寸切りボルト８１１及び８１２と１つのターンバックル８１３からなる間隔保持具８１０が入れられた状態において、ターンバックル８１３が人為的な操作で回転されることによって、２本の寸切りボルト８１１及び８１２は側壁８０２及び８０３を外側に突っ張って側壁８０２及び８０３が打設されるコンクリートからの外力で内側に撓まないように側壁８０２及び８０３の対向する間隔を保持するようなっている。
【０００３】
しなしながら、図８に示した型枠装置８は、ターンバックル８１３が寸切りボルト８１１及び８１２を回転中心として右回り又は左周りに回転して寸切りボルト８１１及び８１２をターンバックル８１３より出たり入ったりする構造になっているので、ターンバックル８１３の寸切りボルト８１１を螺合する雌ネジが右ネジならば、ターンバックル８１３の寸切りボルト８１２を螺合する雌ネジが左ネジというように、ターンバックル８１３の寸切りボルト８１１を螺合する雌ネジとターンバックル８１３の寸切りボルトを螺合する雌ネジ部とが互いに逆ネジなっている。又、寸切りボルト８１１の雄ネジが左ネジならば、寸切りボルト８１２の雄ネジが右ネジといように、寸切りボルト８１１の雄ネジと寸切りボルト８１２の雄ネジとが互いに逆ネジなっている。このためよって、型枠装置８の構造並びに間隔保持具８１０の構造が複雑である。又、寸切りボルト８１１及び８１２を側壁８０２及び８０３に突き当てるだけの構造であるので、寸切りボルト８１１及び８１２が側壁８０２及び８０３の内面に直角に接触していない場合、型枠８０１の外側に打設されたコンクリートが固まるまでに、間隔保持具８１０が型枠８０１から脱落して側壁８０２及び８０３が前記コンクリートからの外力で内側に撓む可能性もある。
【先行技術文献】
【特許文献】
【０００４】
【特許文献１】特許２８９６９７９号公報
【考案の概要】
【考案が解決しようとする課題】
【０００５】
本考案は、上記背景技術に鑑みてなされたものであり、構造が簡単な型枠装置及び型枠装置用間隔保持具の提供を目的とする。
【課題を解決するための手段】
【０００６】
本考案は、コンクリート構造物を構築する場合に配線等の線部材を通すための開口部を形成するために用いられる型枠装置、又は、当該型枠装置の対峙する一対の側壁が打設されるコンクリートからの外力で内側に撓まないように前記一対の側壁の対向する間隔を保持するように用いられる型枠装置用間隔保持具であって、前記２本の保持体のうちの一方の保持体の一端部には保持側位置ずれ防止部が設けられ、前記一方の保持体の他端部には前記連結体が固定して設けられ、この一方の保持体の他端部に固定して設けられた連結体には前記２本の保持体のうちの他方の保持体の一端部が雌ネジ部と雄ネジ部とからなるネジで螺合して前記連結体に出たり入ったり可能に装着され、前記他方の保持体の他端部には保持側位置ずれ防止部が設けられ、前記一方の保持体の保持側位置ずれ防止部が前記型枠の内側空間部から前記一方の側壁に設けられた型枠側位置ずれ防止部に収容され、前記一方の保持体の保持側位置ずれ防止部が前記型枠の内側空間部から前記一方の側壁に設けられた型枠側位置ずれ防止部に収容された状態において前記一方の保持体の保持側位置ずれ防止部より外側の周縁部又は前記一方の保持体に設けられた保持側位置ずれ防止部の周縁部が一方の側壁を内側空間部の側から受け止めるように構成され、前記他方の保持体の保持側位置ずれ防止部が前記型枠の内側空間部から前記他方の側壁に設けられた型枠側位置ずれ防止部に収容された状態において前記他方の保持体の保持側位置ずれ防止部より外側の周縁部又は前記他方の保持体に設けられた保持側位置ずれ防止部の周縁部が前記他方の側壁を内側空間部の側から受け止めるように構成されたことを特徴とする。
【考案の効果】
【０００７】
本考案は、一方の保持体の他端部に固定して設けられた連結体には前記２本の保持体のうちの他方の保持体の一端部が雌ネジ部と雄ネジ部とからなるネジで螺合して前記連結体に出たり入ったり可能に装着されているので、連結体と他方の保持体との装着部分に逆ネジを用いる必要がなく、右ネジ又は左ネジの一方を使用すればよく、型枠装置の構造並びに間隔保持具の構造が簡単である。又、本考案は、一方の保持体の保持側位置ずれ防止部が型枠の内側空間部から一方の側壁の型枠側位置ずれ防止部に収容され、他方の保持体の保持側位置ずれ防止部が型枠の内側空間部から他方の側壁の型枠側位置ずれ防止部に収容され、一方の保持体の保持側位置ずれ防止部より外側の周縁部又は一方の保持体に設けられた保持側位置ずれ防止部の周縁部が一方の側壁を内側空間部の側から受け止め、他方の保持体の保持側位置ずれ防止部より外側の周縁部又は他方の保持体に設けられた保持側位置ずれ防止部の周縁部が他方の側壁を内側空間部の側から受け止めることによって、型枠の外側に打設されたコンクリートが固まるまでに、間隔保持具が型枠から脱落することがなく、一対の側壁が前記コンクリートからの外力で内側に撓むことがない。本考案において、他方の保持体が寸切りボルトによって構成されたり、又は、２本の保持体が寸切りボルトによって構成され、連結体が長ナットによって構成され、２本の保持体のうちの一方の保持体の他端部が連結体に雌ネジ部と雄ネジ部とからなるネジで螺合するとともに接合材で接合されたりすれば、構造が一層簡単になる。又、本考案において、他方の保持体にはナットが連結体と他方の保持体の他端部における保持側位置ずれ防止部との間に位置して装着されれば、間隔保持具が一対の側壁の対向する間隔を保持するように装着された後に、ナットが連結体に当接されることによって、連結体とナットとによるダブルナットが構成され、間隔保持具ががたついたり落下したりすることのないようになる。
【図面の簡単な説明】
【０００８】
【図１】考案を実施するための形態１に係る型枠装置を示した縦断面図。
【図２】考案を実施するための形態１に係る型枠を示した斜視図。
【図３】考案を実施するための形態１に係る型枠用間隔保持具を示した分解側面図。
【図４】考案を実施するための形態１に係る型枠用間隔保持具を示した組立側面図。
【図５】考案を実施するための形態１に係る型枠の内側空間部に型枠用間隔保持具を収容した状態を示した縦断面図。
【図６】考案を実施するための形態２に係る型枠側位置ずれ防止部と保持側位置ずれ防止部とを示した縦断面図。
【図７】考案を実施するための形態３に係る型枠側位置ずれ防止部と保持側位置ずれ防止部とを示した縦断面図。
【図８】従来の型枠装置を示した縦断面図。
【考案を実施するための形態】
【０００９】
図１を用いて、考案を実施するための形態１に係る型枠装置１について説明する。図１に示した型枠装置１は、型枠１０１と間隔保持具２０１と備える。
【００１０】
型枠１０１は、コンクリート構造物を構築する場合に配線等の線部材を通すための開口部を形成するために用いられるものであって、対峙する一対の側壁１０２及び１０３に型枠側位置ずれ防止部１０４及び１０５を水平方向に伸びる図示のされていない１本の直線上で互いに対向する位置に個別に備える。
【００１１】
間隔保持具２０１は、型枠１０１の対峙する一対の側壁１０２及び１０３が打設されるコンクリートからの外力２で型枠１０１の内側空間部１０６の側に撓まないように一対の側壁１０２及び１０３の対向する間隔１０７を保持するように用いられる型枠装置用間隔保持具であって、一方の保持体２０２と連結体２０３と他方の保持体２０４とナット２１１とを備える。
【００１２】
一方の保持体２０２の一端部には保持側位置ずれ防止部２０５が設けられ、一方の保持体２０２の他端部には連結体２０３が固定した状態に設けられる。
【００１３】
連結体２０３の一端部の側と他端部の側とに延びる中心線上には、雌ネジ部２０６が連結体２０３の一端部の側と連結体２０３の他端部の側との方向に所定の間隔のピッチを有する螺旋状に設けられる。雌ネジ部２０６は、連結体２０３の他端部の側に開口している。連結体２０３の一端部は、型枠１０１の一方の側壁１０２の側又は一方の保持体２０２の側に位置する端部である。連結体２０３の他端部は、型枠１０１の他方の側壁１０３の側又は他方の保持体２０４の側に位置する端部である。
【００１４】
他方の保持体２０４は、他方の保持体２０４の一端部の側と他端部の側とに延びる円柱体であって、当該円柱体の外周面に雌ネジ部２０６に対応する雄ネジ部２０７が他方の保持体２０４の一端部の側と他方の保持体２０４の他端部の側との方向に所定の間隔のピッチを有する螺旋状に設けられる。他方の保持体２０４の一端部は、型枠１０１の一方の側壁１０２の側又は連結体２０３の側に位置する端部である。他方の保持体２０４の他端部は、型枠１０１の他方の側壁１０３の側に位置する端部である。
【００１５】
雌ネジ部２０６の直径と雄ネジ部２０７の直径とは互いに同一寸法あり、雌ネジ部２０６のピッチと雄ネジ部２０７のピッチとは互いに同一寸法であり、雌ネジ部２０６のネジの向きと雄ネジ部２０７のネジの向きとは互いに同じ向きになっている。例えば、雌ネジ部２０６が右ネジであれば、雄ネジ部２０７も右ネジになっており、雌ネジ部２０６が左ネジであれば、雄ネジ部２０７も左ネジになっている。
【００１６】
よって、雌ネジ部２０６と雄ネジ部２０７とが連結体２０３の側と一方の保持体２０２の側とに延びる中心線を回転中心として右回り又は左回り回転して螺合された場合に、一方の保持体２０２に固定された連結体２０３の他端部の内部に他方の保持体２０４の一端部が装着される。
【００１７】
前記ように、一方の保持体２０２に固定された連結体２０３の他端部の内部に他方の保持体２０４の一端部が装着された状態において、他方の保持体２０４が一方の保持体２０２又は連結体２０３に対して右回り及び左回りのうちの一方の方向に回転するように人為的な操作を受けると、雌ネジ部２０６と雄ネジ部２０７との互いに螺合した寸法が減少し、他方の保持体２０４の他端部が連結体２０３から他方の側壁１０３の側に突出し、一方の保持体２０２の一端部と他方の保持体２０４の他端部との間の寸法が、つまり、間隔保持具２０１における型枠１０１の間隔１０７に沿って延びる方向の長さが長くなるようになっている。
【００１８】
又、他方の保持体２０４が一方の保持体２０２又は連結体２０３に対して右回り及び左回りのうちの他方の方向に回転するように人為的な操作を受けると、雌ネジ部２０６と雄ネジ部２０７との互いに螺合した寸法が増加し、他方の保持体２０４の他端部が他方の側壁１０３の側から連結体２０３の他端部の内部に進入し、一方の保持体２０２の一端部と他方の保持体２０４の他端部との間の寸法が、つまり、間隔保持具２０１における型枠１０１の間隔１０７に沿って延びる方向の長さが短くなるようになっている。
【００１９】
又、他方の保持体２０４の他端部には保持側位置ずれ防止部２０８が設けられている。
【００２０】
前記間隔保持具２０１にあっては、一方の保持体２０２の他端部に固定して設けられた連結体２０３には２本の保持体２０２及び２０４のうちの他方の保持体２０４の一端部が雌ネジ部２０６と雄ネジ部２０７とからなるネジで螺合して連結体２０３に対し出たり入ったり可能に装着されているので、連結体２０３と他方の保持体２０４との装着部分に逆ネジを用いる必要がなく、右ネジ又は左ネジの一方を使用すればよく、型枠装置１の構造並びに間隔保持具２０１の構造が簡単になる。
【００２１】
又、一方の保持体２０２の保持側位置ずれ防止部２０５が型枠１０１の内側空間部１０６から一方の側壁１０２の型枠側位置ずれ防止部１０４に収容され、他方の保持体２０４の保持側位置ずれ防止部２０８が型枠１０１の内側空間部１０６から他方の側壁１０３の型枠側位置ずれ防止部１０５に収容され、一方の保持体２０２の一端部における保持側位置ずれ防止部２０５より外側の周縁部２０９が一方の側壁１０２における型枠側位置ずれ防止部１０４より外側の周縁部を内側空間部１０６の側から受け止め、他方の保持体２０４の他端部における保持側位置ずれ防止部２０８より外側の周縁部２１０が他方の側壁１０３における型枠側位置ずれ防止部１０５より外側の周縁部を内側空間部１０６の側から受け止めているので、型枠１０１の外側に打設されたコンクリートが固まるまでに、間隔保持具２０１が型枠１０１から脱落することがなく、一対の側壁１０２及び１０３が前記コンクリートからの外力で内側に撓むことがない。
【００２２】
他方の保持体２０４には、ナット２１１が連結体２０３と保持側位置ずれ防止部２０８との間に雄ネジ部２０７とナット２１１の雌ネジ部とからなるネジにより螺合して装着され、型枠１０１の対峙する一対の側壁１０２及び１０３が型枠１０１の外側の周囲に打設されるコンクリートからの外力２で内側空間部１０６の側に撓まないように間隔保持具２０１が型枠１０１の対峙する一対の側壁１０２及び１０３の対向する間隔１０７を保持するように用いられた状態において、ナット２１１が矢印２１７で示す方向に移動するように人為的な操作を受けて連結体２０３の他端部に当接することによって、連結体２０３とナット２１１とによるダブルナットが構成され、他方の保持体２０４の不意な回転に起因して他方の保持体２０４の他端部が型枠１０１の他方の側壁１０３の側から連結体２０３の他端部の内部に進入して間隔保持具２０１による型枠１０１の間隔１０７を保持する作用が低下し、間隔保持具２０１ががたついたり落下したりすることのないようなる。ナット２１１は使用しなくても良い。又、一方の保持体２０２及び連結体２０３は、互いに別体に形成されたものを接着剤又は溶接材又はボルトで固定することなく、１つの材料から一方の保持体２０２に相当する部分及び連結体２０３に相当する部分を形成した一体構造でも良い。
【００２３】
図２を用いて、考案を実施するための形態１に係る型枠１０１について説明する。図２に示した型枠１０１は、コンクリート構造物を構築する場合に配線等の線部材を通すための開口部を形成するために用いられるものであり、対峙する二対の側壁１０２と１０３と１０８及び１０９からなる合計４個の側壁により四角形の上下の方向に開口１１０及び１１１を有する内側空間部１０６を囲むように上下の方向に貫通した角筒状になっている。型枠１０１の対峙する一対の側壁１０２及び１０３の横方向の長さは、型枠１０１の対峙する別の一対の側壁１０２及び１０３の前後方向の長さよりも長くなっている。つまり、型枠１０１を上方より見た平面視にあっては、型枠１０１が長方形になっている。
【００２４】
そして、型枠１０１の対峙する別の一対の側壁１０２及び１０３の前後方向の長さよりも横方向の長さが長い型枠１０１の対峙する一対の側壁１０２及び１０３には、型枠側位置ずれ防止部１０４及び１０５が、前後方向で水平方向に伸びる１本の直線上で互いに対向する位置に、前後方向に貫通する孔として個別に設けられる。型枠側位置ずれ防止部１０４及び１０５が一対の側壁１０２及び１０３のそれぞれに設けられる個数は、１個ずつに限定されるものではなく、２個以上ずつであって良い。
【００２５】
又、一対の側壁１０８及び１０９に型枠側位置ずれ防止部１０４及び１０５に相当する型枠側位置ずれ防止部を形成するか又は二対の側壁１０２と１０３と１０８及び１０９に型枠側位置ずれ防止部１０４及び１０５、型枠側位置ずれ防止部１０４及び１０５に相当する型枠側位置ずれ防止部を形成して、図３に示した間隔保持具２０１を一対の側壁１０８及び１０９間、又は二対の側壁１０２と１０３間と１０８及び１０９間とに用いても良い。
【００２６】
図３を用いて、考案を実施するための形態１に係る間隔保持具２０１を構成する一方の保持体２０２と連結体２０３及び他方の保持体２０４について説明する。図３に示した一方の保持体２０２及び他方の保持体２０４は、金属製の寸切りボルトによって構成される。寸切りボルトは、棒ネジ又は長ネジ又は全ネジ等と呼ばれ、頭部の無いネジである。一方の保持体２０２の一端部の側と一方の保持体２０２の他端部の側とに同一の直径で延びる円柱体の外周面には、雄ネジ部２１３が一方の保持体２０２の一端部の側と一方の保持体２０２の他端部の側とにわたって設けられている。又、他方の保持体２０４の一端部の側と他方の保持体２０４の他端部の側とに同一の直径で延びる円柱体の外周面には、雄ネジ部２０７が他方の保持体２０４の一端部の側と他方の保持体２０４の他端部の側とにわたって設けられている。
【００２７】
一方の保持体２０２の一端部に設けられた保持側位置ずれ防止部２０５は、一方の保持体２０２の一端部の中心部から一方の保持体２０２の一端部の側と一方の保持体２０２の他端部の側とに延びる中心線４に沿って外側に突出し、一方の保持体２０２の一端部の外径よりも細い短円柱形になっている。
【００２８】
他方の保持体２０４の他端部に設けられた保持側位置ずれ防止部２０８は、他方の保持体２０４の他端部の中心部から他方の保持体２０４の一端部の側と他方の保持体２０４の他端部の側とに延びる中心線４に沿って外側に突出し、他方の保持体２０４の他端部の外径よりも細い短円柱形になっている。
【００２９】
連結体２０３は、金属製の長ナットによって構成される。長ナットは、高ナット、ジョイントナット、つなぎナットと呼ばれ、汎用されている一般的なナットよりも連結体２０３の一端部の側と他端部との側とに延びる全長の長いナットであって、連結体２０３の一端部の側と連結体２０３の他端部の側とに同一の直径で延びる六角形等の角柱体の内部の中心部に雌ネジ部２０６が連結体２０３の一端部の側と連結体２０３の他端部の側とにわたって貫通して設けられた構成である。
【００３０】
図４を用いて、考案を実施するための形態１に係る間隔保持具２０１の組み立てられた構造について説明する。図４に示した考案を実施するための形態１に係る間隔保持具２０１では、寸切りボルトからなる一方の保持体２０２の中心線４他端部における雄ネジ部２０７と長ナットからなる連結体２０３の一端部における雌ネジ部２０６とが互い螺合して装着され、一方の保持体２０２と連結体２０３とが接着材又は溶接材等の接合材２１４によって互いに固定される。このように一方の保持体２０２に固定して設けられた連結体２０３の他端部の雌ネジ部２０６と他方の保持体２０４の一端部の雄ネジ部２０７とが互い螺合して装着される。間隔保持具２０１の全長２１５は、一方の保持体２０２の保持側位置ずれ防止部２０５の先端と他方の保持体２０４の保持側位置ずれ防止部２０８の先端との間の寸法である。
【００３１】
図４に示した考案を実施するための形態１に係る間隔保持具２０１は、一端部に保持側位置ずれ防止部２０５を凸状に設けた寸切りボルトからなる一方の保持体２０２の他端部と長ナットからなる連結体２０３の一端部とが雌ネジ部２０６と雄ネジ部２１３との螺合で同軸状に装着され、一方の保持体２０２の他端部と連結体２０３の一端部とが接合材２１４によって互いに固定され、他端部に保持側位置ずれ防止部２０８を凸状に設けた寸切りボルトからなる他方の保持体２０４の一端部と前記長ナットからなる連結体２０３の他端部とが雄ネジ部２０７と雌ネジ部２０６との螺合で同軸状に装着された簡単な構造になっている。例えば、一方の保持体２０２及び他方の保持体２０４は、市販されている寸切りボルトを用い、その寸切りボルトの１つの端部の側の雄ネジ部２１３及び２０７の周縁部を直径方向の外側から内側に除去することによって保持側位置ずれ防止部２０５及び２０８を凸状に設けることができる。連結体２０３は、市販されている長ナットを用いることができる。
【００３２】
尚、一方の保持体２０２の他端部における雄ネジ部２１３と連結体２０３の一端部における雌ネジ部２０６とが互い螺合して装着された後、接合材２１４に代えて、ボルトを連結体２０３の一端部の外側から一方の保持体２０２の他端部に装着することによって、一方の保持体２０２と連結体２０３とを互いに固定しても良い。
【００３３】
図５を用いて、考案を実施するための形態１に係る型枠装置１における型枠１０１の内側空間部１０６に間隔保持具２０１を収容する場合について説明する。図５を示した型枠１０１の内側空間部１０６に間隔保持具２０１を収容する場合は、型枠１０１の間隔１０７は、図４に示した間隔保持具２０１の全長２１５よりも大きな寸法に設定されている（型枠１０１の間隔１０７＞間隔保持具２０１の全長２１５）。
【００３４】
次に、間隔保持具２０１が型枠１０１の内側空間部１０６に入れられ、保持側位置ずれ防止部２０５が型枠側位置ずれ防止部１０４に収容される。そして、保持側位置ずれ防止部２０５が型枠側位置ずれ防止部１０４に収容された状態のまま、他方の保持体２０４が矢印２１６で示す方向に移動するように一方の保持体２０２又は連結体２０３に対して右回り及び左回りのうちの一方の方向に回転するように人為的な操作を受けることによって、図４に示した間隔保持具２０１の全長２１５が長くなる途中において、保持側位置ずれ防止部２０８が内側空間部１０６の側から型枠側位置ずれ防止部１０５に収容される。
【００３５】
その後、図１に示したように、一方の保持体２０２の周縁部２０９が型枠１０１の一方の側壁１０２における型枠側位置ずれ防止部１０４より外側の周縁部を受け止め、他方の保持体２０４の周縁部２１０が型枠１０１の他方の側壁１０３における型枠側位置ずれ防止部１０５より外側の周縁部を受け止めるように、間隔保持具２０１が型枠１０１の対峙する一対の側壁１０２及び１０３を型枠１０１の内側空間部１０６の側から外側に突っ張ることによって、間隔保持具２０１は型枠１０１の対峙する一対の側壁１０２及び１０３が型枠１０１の外側の周囲に打設されるコンクリートからの外力２で内側空間部１０６の側に撓まないように一対の側壁１０２及び１０３の対向する間隔１０７を保持する。
【００３６】
保持側位置ずれ防止部２０５及び２０８の一方又は両方としては、図３に示した短円柱形に限定されるものでなく、保持側位置ずれ防止部２０５が一方の保持体２０２の一端部から外側に向かって細なる円錐形状又は角錐形状又は半球形状であっても、又は、保持側位置ずれ防止部２０８が他方の保持体２０４の他端部から外側に向かって細なる円錐形状又は角錐形状又は半球形状であっても、同様に適用可能である。
【００３７】
図６を用いて、考案を実施するための形態２に係る型枠側位置ずれ防止部１０４と保持側位置ずれ防止部２０５との構造について説明する。図６に示した保持側位置ずれ防止部２０５が一方の保持体２０２の一端部の中心部から一方の保持体２０２の一端部の側と一方の保持体２０２の他端部の側とに延びる中心線４に沿って外側に突出し、突出するのに伴って細くなる、図示のような錐形状又は図示のされていない半円形状であって、保持側位置ずれ防止部２０５が型枠１０１の内側空間部１０６から型枠側位置ずれ防止部１０４に収容された場合に、保持側位置ずれ防止部２０５の周縁部が一方の側壁１０２の型枠側位置ずれ防止部１０４より外側の周縁部の角部を内側空間部１０６の側から受け止め、一方の保持体２０２の一端部の周縁部２０９と型枠１０１の側壁との間に隙間が形成されている。
【００３８】
尚、図６において、一方の保持体２０２を他方の保持体２０４と読み替え、一方の保持体２０２の一端部を他方の保持体２０４の他端部と読み替え、一方の保持体２０２の他端部を他方の保持体２０４の一端部と読み替え、一方の側壁１０２を他方の側壁１０３と読み替え、型枠側位置ずれ防止部１０４を型枠側位置ずれ防止部１０５と読み替えることによって、図６に示した構造を図５に示した型枠側位置ずれ防止部１０５と保持側位置ずれ防止部２０８との構造に適応可能である。
【００３９】
又、図１及び６において、型枠側位置ずれ防止部１０４及び１０５の一方又は両方としては、貫通孔に限定されるものでなく、側壁１０２又は１０３の外面の側が塞がれ、内側空間部１０６の側から側壁１０２又は１０３の内部に窪む窪みであっても、前記型枠側位置ずれ防止部１０４及び１０５の一方又は両方を塞ぐ側壁１０２又は１０３の外面の部分が外側に出っ張っても、同様に適用可能である。
【００４０】
図７を用いて、考案を実施するための形態５に係る型枠側位置ずれ防止部１０４と保持側位置ずれ防止部２０５との構造について説明する。図７に示したように、型枠側位置ずれ防止部１０４が一方の側壁１０２から内側空間部１０６の側に突出した突起として構成される。保持側位置ずれ防止部２０５が一方の保持体２０２の中心線４に沿って内部に窪む窪みとして構成される。そして、保持側位置ずれ防止部２０５が型枠１０１の内側空間部１０６から型枠側位置ずれ防止部１０４に収容された場合に、一方の保持体２０２の周縁部２０９が一方の側壁１０２における型枠側位置ずれ防止部１０４及び１０５より外側の周縁部を内側空間部１０６の側から受け止めるようになっている。
【００４１】
尚、図７において、一方の保持体２０２を他方の保持体２０４と読み替え、一方の保持体２０２の一端部を他方の保持体２０４の他端部と読み替え、一方の保持体２０２の他端部を他方の保持体２０４の一端部と読み替え、一方の側壁１０２を他方の側壁１０３と読み替え、型枠側位置ずれ防止部１０４を型枠側位置ずれ防止部１０５と読み替えることによって、図９に示した構造を図５に示した型枠側位置ずれ防止部１０５と保持側位置ずれ防止部２０５との構造に適応可能である。
【符号の説明】
【００４２】
１      型枠装置
２      外力
４      中心線
１０１  型枠
１０２  側壁
１０３  側壁
１０４  型枠側位置ずれ防止部
１０５  型枠側位置ずれ防止部
１０６  内側空間部
１０７  間隔
１０８  側壁
１０９  側壁
１１０  開口
１１１  開口
２０１  間隔保持具
２０２  一方の保持体
２０３  連結体
２０４  他方の保持体
２０５  保持側位置ずれ防止部
２０６  雌ネジ部
２０７  雄ネジ部
２０８  保持側位置ずれ防止部
２０９  一方の保持体２０２の周縁部
２１０  他方の保持体２０４の周縁部
２１１  ナット
２１３  雄ネジ部
２１４  接合材
２１５  間隔保持具２０１の全長
２１６  他方の保持体２０４の移動する方向を示す矢印
２１７  ダブルナットの構成に対しナット２１１の移動する方向を示す矢印
【図１】
0003210740.tif 000003
【図２】
0003210740.tif 000004
【図３】
0003210740.tif 000005
【図４】
0003210740.tif 000006
【図５】
0003210740.tif 000007
【図６】
0003210740.tif 000008
【図７】
0003210740.tif 000009
【図８】
0003210740.tif 000010